(57)【要約】【課題】  製品としての美観を保ちつつ、長期にわたって確実に再ロック現象の発生を防止することができる電気炊飯器を提供する。【解決手段】  蓋には当該蓋２を容器本体１にロックするロックレバー１７と、ロック解除用のオープンボタン１８が配置され、ロックレバー１７は、オープンボタン１８の押下とレバーバネ２５の付勢力とによって摺動するレバー本体部１７ａ、および容器本体１に係止されるフック部１７ｂを備え、ロックレバー１７に対しては、オープンボタン１８の押圧解除に伴うレバー本体部１７ａに対するレバーバネ２５の付勢力に抗してロックレバー１７の動きを一時的に制動する一時制動手段Ｓｐが設けられており、レバー本体部１７ａ、レバーバネ２５、および一時制動手段Ｓｐが蓋２の内部に収納されている。【選択図】  図２
2008229150.tif 000002
【特許請求の範囲】
【請求項１】
容器本体に対して蓋がヒンジを介して開閉自在に設けられるとともに、ヒンジバネによって開蓋方向に付勢され、この蓋には当該蓋を容器本体にロックするロックレバーと、ロック解除用のオープンボタンとが配置されている電気炊飯器において、
前記ロックレバーは、前記オープンボタンの押下とレバーバネの付勢力とによって摺動するレバー本体部、およびこのレバー本体部から延設されて前記容器本体に係止されるフック部を備え、前記ロックレバーに対しては、前記オープンボタンの押圧解除時の前記レバー本体部に対する前記レバーバネの付勢力に抗してロックレバーの動きを一時的に制動する一時制動手段が設けられており、前記レバー本体部、レバーバネ、および一時制動手段が前記蓋の内部に配置されていることを特徴とする電気炊飯器。
【請求項２】
前記一時制動手段は、前記蓋の下部を構成して前記容器本体に収納される内鍋の上端部を外囲する状態で設けられた内カバー部材と前記レバー本体部との互いの対向箇所のいずれか一方に凸部が、他方には前記オープンボタンの押下により前記凸部に引っ掛かる引掛り部が、それぞれ形成されてなることを特徴とする請求項１記載の電気炊飯器。
【請求項３】
前記一時制動手段は、前記蓋の下部を構成して前記容器本体に収納される内鍋の上端部を外囲する状態で設けられた内カバー部材の内面側に凸部が形成されるとともに、前記蓋の開閉に伴う衝撃により前記レバー本体部を跳ね上げる弾性部材が設けられる一方、前記レバー本体部にはオープンボタンの押下により前記凸部に嵌合する嵌合穴が形成されてなることを特徴とする請求項１記載の電気炊飯器。
【請求項４】
前記一時制動手段は、前記オープンボタンの前記容器本体側の前方下端部に、当該ボタンの押下により前記レバー本体部のフック部形成側の前端部に引っ掛かる引掛片が形成されてなることを特徴とする請求項１記載の電気炊飯器。
【請求項５】
前記一時制動手段は、前記オープンボタンと前記蓋の上部を構成する外カバー部材の内面とのいずれか一方にクッション部材が介在されてなることを特徴とする請求項１記載の電気炊飯器。
【請求項６】
前記一時制動手段は、前記オープンボタンの揺動用の支軸に設けられたボタン復帰用のリターンバネの復帰力を制限するブレーキ機構からなることを特徴とする請求項１記載の電気炊飯器。
【発明の詳細な説明】
【技術分野】
【０００１】
本発明は、電気炊飯器に関し、特には蓋を容器本体に対してロックおよびロック解除を行う機構の改善に関する。
【背景技術】
【０００２】
一般に、電気炊飯器においては、炊飯時に蓋が容器本体に確実に固定された状態となるようにロックし、また、内鍋を容器本体に対して出し入れするような場合には蓋のロックを解除する必要がある。このため、容器本体に対して蓋をロックするロックレバーを設けるとともに、このロックレバーによるロック状態を解除するオープンボタンが設けられている。
【０００３】
この場合、ロックレバーおよびオープンボタンを容器本体側に設けた構成とすると、容器本体の前面部の操作パネルや設定ボタンを配置する場合の空間上の制約が多くなるので、これを避けるために、従来技術では、ロックレバーおよびオープンボタンを蓋側に配置した構成のものが提供されている。
【０００４】
ところで、オープンボタンを押してロックレバーによるロックを解除すると、通常は、蓋を容器本体に対して開閉自在に支持するヒンジに設けられたヒンジバネによって蓋が自然と開放される。しかし、上記のようにロックレバーおよびオープンボタンを蓋側に配置した構成の場合、蓋の開く方向とオープンボタンを指先で押す方向とが互いに相反していることもあり、オープンボタンを押して直ちにそのボタンから指先を離すなどオープンボタンの操作が不適切なときには、ヒンジバネの力によって蓋が容器本体から十分に持ち上げられる前に蓋がロックレバーによって再び容器本体にロックされてしまう現象（以下、再ロック現象という）が発生し、蓋を円滑に開放できないことがある。
【０００５】
特に、容器本体内に内鍋を収容していない場合には、内鍋と蓋とのシール性を確保するために両者間に介在されるパッキンの弾性力が蓋を持ち上げる方向に作用しないためこの再ロック現象が発生し易くなる。
【０００６】
そこで、従来技術では、ロックレバーおよびオープンボタンを蓋側に配置した構成において、容器本体の内鍋を囲む肩枠と対向する蓋の内面位置に柱状の弾性部材を取り付け、この弾性部材が蓋を閉じたときに圧縮されることによって生じる反発力によって短時間の内に蓋が持ち上げられるようにして、再ロック現象の発生を防止するようにしたものが提案されている（例えば、特許文献１参照）。
【０００７】
【特許文献１】特開２０００−１４５３８号公報
【発明の開示】
【発明が解決しようとする課題】
【０００８】
しかしながら、特許文献１に記載されている従来技術のものは、弾性部材が蓋に取り付けられて外部にそのまま露出しているので、製品としての美観を損ない、また、蓋や容器本体の肩枠などはポリプロピレン等の樹脂で成形されているので、熱履歴を受けると幾分変形して柱状の弾性部材との当たりが悪くなって反発力が低下したり、弾性部材がゴム製のものでは熱の影響を受けて比較的短期間の内に弾性力が低下してしまい、再ロック現象の発生を防止するのが不十分になる恐れがある。
【０００９】
本発明は、上記の課題を解決するためになされたもので、製品としての美観を良好に保ちつつ、長期にわたって確実に再ロック現象の発生を防止することができる電気炊飯器を提供することを目的とする。
【課題を解決するための手段】
【００１０】
上記の目的を達成するために、本発明は、容器本体に対して蓋がヒンジを介して開閉自在に設けられるとともに、ヒンジバネによって開蓋方向に付勢され、この蓋には当該蓋を容器本体にロックするロックレバーと、ロック解除用のオープンボタンとが配置されている電気炊飯器において、次の構成を採用している。
【００１１】
すなわち、本発明では、前記ロックレバーは、前記オープンボタンの押下とレバーバネの付勢力とによって摺動するレバー本体部、およびレバー本体部から延設されて容器本体に係止されるフック部を備え、前記ロックレバーに対しては、前記オープンボタンの押圧解除時のレバー本体部に対するレバーバネの付勢力に抗してロックレバーの動きを一時的に制動する一時制動手段が設けられており、レバー本体部、レバーバネ、および一時制動手段が蓋の内部に配置されていることを特徴としている。
【００１２】
その場合の一時制動手段としては、前記蓋の下部を構成して前記容器本体に収納される内鍋の上端部を外囲する状態で設けられた内カバー部材と前記レバー本体部との互いの対向箇所のいずれか一方に凸部が、他方には前記オープンボタンの押下により前記凸部に引っ掛かる引掛り部が、それぞれ形成された構成とすることができる。
【００１３】
また、一時制動手段として、前記蓋の下部を構成して前記容器本体に収納される内鍋の上端部を外囲する状態で設けられた内カバー部材の内面側には凸部が形成されるとともに、前記蓋の開閉に伴う衝撃により前記レバー本体部を跳ね上げる弾性部材が設けられる一方、前記レバー本体部にはオープンボタンの押下により前記凸部に嵌合する嵌合穴が形成された構成とすることができる。
【００１４】
あるいは、一時制動手段として、前記オープンボタンの前記容器本体側の前方下端部に、当該ボタンの押下により前記レバー本体部のフック部形成側の前端部に引っ掛かる引掛片が形成された構成とすることができる。
【００１５】
あるいはまた、一時制動手段は、前記オープンボタンと前記蓋の上部を構成する外カバー部材の内面とのいずれか一方にクッション部材が介在された構成としたり、前記オープンボタンの揺動用の支軸に設けられたボタン復帰用のリターンバネの復帰力を制限するブレーキ機構で構成したりすることもできる。
【発明の効果】
【００１６】
本発明によれば、蓋を開けるためにオープンボタンを十分に押下したときには、ロックレバーのフック部が容器本体から離脱してレバー本体部が一時制動手段の位置まで移動する。そして、オープンボタンから指先を離すと、一時制動手段によってレバーバネの付勢力によるロックレバーの動きが一時的に制動される。したがって、オープンボタンから指先を離しても、フック部が容器本体に係止される前に、蓋がヒンジバネの力によって容器本体から持ち上げられるので、再ロック現象の発生を確実に防止することができる。
【００１７】
一方、蓋を手で閉めるときには、オープンボタンは押さないので、ロックレバーのレバー本体部が一時制動手段の位置まで摺動することはないので、ロックレバーは円滑に動作して蓋が確実に容器本体にロックされる。
【００１８】
しかも、レバー本体部、レバーバネ、および一時制動手段は蓋の内部に配置されていて外部にそのまま露出していないので、製品としての美観を良好に保つことができ、また、熱履歴の影響も受けにくいので長期にわたって再ロック現象の発生防止作用を持続することができる。
【発明を実施するための最良の形態】
【００１９】
以下、本発明の実施の形態について、図面を参照して詳しく説明する。
【００２０】
［実施の形態１］
図１は本発明の実施の形態１における電気炊飯器の全体を一部切り欠いて示す正面図である。図２は蓋が容器本体にロックされた状態の要部を示す縦断面図、図３は蓋が容器本体にロックされた状態の蓋の内部を示す平面図である。また、図４はオープンボタンが十分に押下されて蓋と容器本体とのロックが解除された状態の要部を示す縦断面図、図５はオープンボタンが十分に押下されて蓋と容器本体とのロックが解除された状態の蓋の内部を示す平面図である。
【００２１】
この実施の形態１の電気炊飯器は、容器本体１に対して蓋２が容器本体１の後方側に設けられたヒンジ３を介して開閉自在に設けられ、ヒンジ３には蓋２を開方向に付勢するヒンジバネ４が設けられている。
【００２２】
容器本体１の内部には保護枠５が配置され、この保護枠５の内側に内鍋６が出し入れ可能に収納されている。また、容器本体１の前方側上部に液晶表示部を有する操作パネル８が配置されるとともに、制御基板９が設けられている。さらに、容器本体１には蓋２の周囲を外囲するように肩枠１１が設けられ、この肩枠１１の蓋２前方端と対面する箇所には、蓋２を閉じる際に後述のロックレバー１７のフック部１７ｂが当接する傾斜面１１ａ、およびこの傾斜面１１ａの下方においてフック部１７ｂが係止される凹状の係止部１１ｂが形成されている。
【００２３】
蓋２は、その上部を構成する外カバー部材１４と、その下部を構成する内カバー部材１５とを有する。そして、蓋２の前方側に位置する外カバー部材１４および内カバー部材１５の間には、蓋２を容器本体１にロックするロックレバー１７が設けられている。
【００２４】
蓋２の外カバー部材１４には、ロックレバー１７による蓋２のロックを解除するオープンボタン１８が設けられている。このオープンボタン１８は、外カバー部材１４の内側に設けられた支軸１９に揺動可能に取り付けられ、支軸１９にはオープンボタン１８の復帰用のリターンバネ２０が設けられている。一方、内カバー部材１５は、内鍋６の上端部を外囲する状態で設けられていて、この内カバー部材１５の内周側にパッキン２２を介して内蓋２３が着脱可能に取り付けられている。
【００２５】
上記のロックレバー１７は、ＰＥＴ等の耐熱性の合成樹脂製のもので、内カバー部材１５上で摺動可能に設けられたレバー本体部１７ａと、このレバー本体部１７ａの先端部に形成されて肩枠１１の係止部１１ｂに係合する刃状のフック部１７ｂとを有する。そして、このロックレバー１７に対しては、これを容器本体１の係止部１１ｂに向けて付勢する圧縮コイルバネからなるレバーバネ２５が配置されている。
【００２６】
そして、レバー本体部１７ａには、オープンボタン１８の押下に応じてフック部１７ｂが容器本体１の係止部１１ｂから離脱する方向に移動するように、オープンボタン１８の前方側底部に当接する傾斜面１７ｃが形成されている。また、フック部１７ｂは内カバー部材１５の前方端に形成された突出穴１５ａを貫通して係止部１１ｂに臨んでいる。さらに、レバーバネ２５は、その前方端側がレバー本体部１７ａに、後方端側が内カバー部材１５の内方端にそれぞれ固定されている。このように、ロックレバー１７のレバー本体部１７ａとレバーバネ２５とは、共に蓋２の内部に配置された状態になっている。
【００２７】
上記のロックレバー１７に対しては、オープンボタン１８の押圧解除時のレバー本体部１７ａに対するレバーバネ２５の付勢力に抗してロックレバー１７の動きを一時的に制動する一時制動手段Ｓｐが設けられている。
【００２８】
この実施の形態１における一時制動手段Ｓｐは、内カバー部材１５の内面側の平坦部分のレバーバネ２５の取り付け箇所から横方向に幾分ずれた位置に凸部１５ｂが形成され、また、レバー本体部１７ａには、オープンボタン１８の押下により上記の凸部１５ｂに引っ掛かる引掛り部としての屈曲バネ部１７ｄが一体形成されて構成されている。したがって、この凸部１５ｂと屈曲バネ部１７ｄとからなる一時制動手段Ｓｐもロックレバー１７と共に蓋２の内部に配置された状態となっている。
【００２９】
次に、上記構成を備えた電気炊飯器において、容器本体１に対して蓋２を開閉する場合のロックレバー１７や一時制動手段Ｓｐの動作について説明する。
【００３０】
容器本体１に対して蓋２が閉まっているときには、ロックレバー１７のレバー本体部１７ａがレバーバネ２５により付勢されてフック部１７ｂが容器本体１の係止部１１ｂに係合しているので、蓋２は容器本体１にロックされた状態になっている（図２、図３参照）。
【００３１】
この状態で、蓋２を開けるためにオープンボタン１８を十分に押下したときには、ロックレバー１７のレバー本体部１７ａの傾斜面１７ｃにオープンボタン１８が当接してレバーバネ２５の付勢力に抗してロックレバー１７が摺動されるので、フック部１７ｂが容器本体１の係止部１１ｂから離脱してレバー本体部１７ａが一時制動手段Ｓｐの位置まで移動し、屈曲バネ部１７ｄが凸部１５ｂを乗り越える（図４、図５参照）。
【００３２】
そして、オープンボタン１８から指先を離すと、ロックレバー１７のレバー本体部１７ａは、レバーバネ２５の付勢力によって前方に向けて摺動しようとするが、その際、一時制動手段Ｓｐの屈曲バネ部１７ｄが凸部１５ｂを再び乗り越えるときに抵抗が生じ、レバーバネ２５の付勢力によるロックレバー１７の動きが一時的に制動される。その結果、オープンボタン１８から指先を離しても、フック部１７ｂが容器本体１の係止部１１ｂに係合する前に、蓋２がヒンジバネ４の力によって容器本体１から持ち上げられるため、再ロック現象の発生が確実に防止される。
【００３３】
特に、従来は、容器本体１内に内鍋６を収容していない場合、パッキン２２の弾性力が蓋２を持ち上げる方向に作用しないために再ロック現象が発生し易かったが、この実施の形態１では一時制動手段Ｓｐを設けているので、容器本体１に内鍋６を収納していない場合でも再ロック現象の発生を確実に防止することができ、一層使い勝手が良くなる。
【００３４】
一方、蓋２を手で閉めるときには、ロックレバー１７のフック部１７ｂが容器本体１の肩枠１１の傾斜面１１ａに当接するので、レバー本体部１７ａは後方に摺動するが、オープンボタン１８は押さないので、ロックレバー１７のレバー本体部１７ａが一時制動手段Ｓｐの位置まで摺動することはない。したがって、フック部１７ｂが傾斜面１１ａから外れたときには、ロックレバー１７はレバーバネ２５によって円滑に前方に摺動してフック部１７ｂが係止部１１ｂに係合し、蓋２が確実に容器本体１にロックされる。
【００３５】
また、この実施の形態１では、レバー本体部１７ａ、レバーバネ２５、および一時制動手段Ｓｐは、いずれも蓋２の内部に配置されていて外部に露出していないので、製品としての美観を損なうことがなくデザイン性に優れる。また、熱履歴の影響も受けにくいので長期にわたって再ロック現象の発生防止作用を持続することができる。
【００３６】
［実施の形態２］
図６は、本発明の実施の形態２における電気炊飯器の一時制動手段の構成を、容器本体に対して蓋を開閉する場合の動作状態と共に示す説明図である。
【００３７】
この実施の形態２において、一時制動手段Ｓｐは、内カバー部材１５の内面側の平坦部分のレバーバネ２５の取り付け箇所から横方向に幾分ずれた位置に凸部１５ｂが形成され、また、レバー本体部１７ａには、オープンボタン１８の押下によって上記の凸部１５ｂに引っ掛かる引掛り部としての凹部１７ｅが形成されて構成されている。
【００３８】
この実施の形態２の場合も、容器本体１に対して蓋２が閉まっているときには、ロックレバー１７のレバー本体部１７ａがレバーバネ２５により付勢されてフック部１７ｂが容器本体１の係止部１１ｂに係合しているので、レバー本体部１７ａの凹部１７ｅは内カバー部材１５の凸部１５ｂから離れている（図６（ａ）参照）。
【００３９】
この状態から、蓋２を開けるためにオープンボタン１８が押下されると、ロックレバー１７が摺動されてレバー本体部１７ａが一時制動手段Ｓｐの位置まで移動し、凸部１５ｂに凹部１７ｅが嵌まり込む（図６（ｂ）参照）。そして、オープンボタン１８から指先を離すと、レバー本体部１７ａはレバーバネ２５の付勢力によって前方に押圧される。このとき、レバー本体部１７ａは上方に若干のガタがあるので、凹部１７ｅが凸部１５ｂから外れるが、その際に抵抗が生じてロックレバー１７の動きが一時的に制動される。その結果、フック部１７ｂが容器本体１の係止部１１ｂに係合する前に、蓋２がヒンジバネ４の力によって容器本体１から持ち上げられるため、再ロック現象の発生が確実に防止される。
【００４０】
なお、蓋２を手で閉めるときには、オープンボタン１８は押さないので、ロックレバー１７のレバー本体部１７ａの凹部１７ｅが凸部１５ｂの位置まで摺動することはなく（図６（ｃ）参照）、フック部１７ｂが係止部１１ｂに係合して蓋２が確実に容器本体１にロックされる。
その他の構成、および作用効果は、実施の形態１の場合と同様であるから、ここでは詳しい説明は省略する。
【００４１】
［実施の形態３］
図７は本発明の実施の形態３における電気炊飯器の一時制動手段の構成を、容器本体に対して蓋を開閉する場合の動作状態と共に示す説明図である。
【００４２】
この実施の形態３において、一時制動手段Ｓｐは、内カバー部材１５の内面側の平坦部分のレバーバネ２５の取り付け箇所から横方向に幾分ずれた位置に前後２つの凸部１５ｂが形成され、また、レバー本体部１７ａには、オープンボタン１８の押下によって２つの凸部１５ｂの間に引っ掛かる引掛り部として、板バネを上下に波状に屈曲したバネ片１７ｆが一体的に設けられている。
【００４３】
この実施の形態３の場合も、実施の形態２の場合と同様、蓋２を開けるためにオープンボタン１８を十分に押下したときには、バネ片１７ｆが凸部１５ｂを乗り越えて引っ掛かり、オープンボタン１８から指先を離したときには、バネ片１７ｆが凸部１５ｂを乗り越える際に抵抗が生じてロックレバー１７の動きが一時的に制動される。その結果、フック部１７ｂが容器本体１の係止部１１ｂに係合する前に、蓋２がヒンジバネ４の力によって容器本体１から持ち上げられるので、再ロック現象の発生が防止される。
その他の構成、および作用、効果は、実施の形態２の場合と同様であるから、ここでは詳しい説明は省略する。
【００４４】
［実施の形態４］
図８はこの実施の形態４の電気炊飯器において蓋が容器本体にロックされた状態の要部を示す縦断面図、図９は同炊飯器においてオープンボタンが十分に押下されて蓋と容器本体とのロックが解除された状態の要部を示す縦断面図、図１０は同炊飯器において蓋が容器本体から開いた状態の縦断面図である。
【００４５】
この実施の形態４において、一時制動手段Ｓｐは、内カバー部材１５の内面側のレバーバネ２５の取り付け箇所から横方向に幾分ずれた位置に凸部１５ｂが形成され、また、内カバー部材１５の内面側のレバーバネ２５を左右に挟んでレバー本体部１７ａの底部と対面する箇所に、それぞれ蓋２の開閉に伴う衝撃によりレバー本体部１７ａを跳ね上げる弾性部材２６が設けられる一方、レバー本体部１７ａにはオープンボタン１８の押下により凸部１５ｂに嵌合する嵌合穴１７ｇが形成されて構成されている。この場合の弾性部材２６は、例えば、先端に重りを設けた板バネの基端部をネジ等で取り付けて構成される。
【００４６】
この実施の形態４の場合、容器本体１に対して蓋２が閉まってロックレバー１７でロックされているときには、ロックレバー１７のレバー本体部１７ａがレバーバネ２５により付勢されて前方に進出しているので、レバー本体部１７ａの嵌合穴１７ｇは内カバー部材１５の凸部１５ｂから離れているが（図８（ａ）参照）、蓋２を開けるためにオープンボタン１８が押下されると、ロックレバー１７が摺動されて嵌合穴１７ｇに凸部１５ｂが嵌合する（図９参照）。
【００４７】
次に、オープンボタン１８から指先を離すと、レバー本体部１７ａはレバーバネ２５の付勢力によって前方に押圧されるが、その際、嵌合穴１７ｇに凸部１５ｂが引っ掛かったままの状態になっているので、蓋２がヒンジバネ４の力によって容器本体１から持ち上げられる。このため、再ロック現象の発生が確実に防止される。
【００４８】
そして、蓋２が完全に開いたときには、その際の衝撃に加えて、弾性部材２６の反発力によって、レバー本体部１７ａが跳ね上げられ（図１０参照）、嵌合穴１７ｇが凸部１５ｂの引っ掛かりから外れる。その結果、ロックレバー１７がレバーバネ２５の付勢力で前方に摺動し、フック部１７ｂが内カバー部材１５の前方端の突出穴１５ａの前方に突出する。
【００４９】
このように、この実施の形態４では、蓋２が完全に開くまでは嵌合穴１７ｇに凸部１５ｂが引っ掛かったままの状態になっていてフック部１７ｂが係止部１１ｂから十分後退しているので、再ロック現象の発生を一層確実に防止することができる。一方、蓋２が完全に開いたときには、その際の衝撃に加えて、弾性部材２６の反発力によって、レバー本体部１７ａが強制的に跳ね上げられて嵌合穴１７ｇは凸部１５ｂから外れるため、レバーバネ２５の付勢力が若干弱い場合でも、ロックレバー１７のフック部１７ｂが突出穴１５ａから十分に突出した状態に確実に戻すことができる。
その他の構成、および作用、効果は、実施の形態１の場合と同様であるから、ここでは詳しい説明は省略する。
【００５０】
［実施の形態５］
図１１は本発明の実施の形態５における電気炊飯器の一時制動手段の構成を、容器本体に対して蓋を開閉する場合の動作状態と共に示す説明図である。
【００５１】
この実施の形態５において、一時制動手段Ｓｐは、オープンボタン１８の前方下端部に、当該ボタン１８の押下によってレバー本体部１７ａのフック部１７ｂ形成側の前端部に引っ掛かる引掛り片１８ａが形成されて構成されている。
【００５２】
この実施の形態５の場合、容器本体１に対して蓋２が閉まってロックレバー１７でロックされているときには、ロックレバー１７のレバー本体部１７ａがレバーバネ２５により付勢されて前方に進出しているので、オープンボタン１８の引掛り片１８ａはレバー本体部１７ａの前端部から離れている（図１１（ａ）参照）。そして、蓋２を開けるためにオープンボタン１８を十分に押下したときには、その引掛り片１８ａがレバー本体部１７ａの前端部に引っ掛かる（図１１（ｂ）参照）。
【００５３】
この状態で、オープンボタン１８から指先を離したときには、引掛り片１８ａがレバー本体部１７ａの前端部を乗り越える際に抵抗が生じてロックレバー１７の動きが一時的に制動される。その結果、フック部１７ｂが容器本体１の係止部１１ｂに係合する前に、蓋２がヒンジバネ４の力によって容器本体１から持ち上げられるので、再ロック現象の発生が防止される。
その他の構成、および作用、効果は、実施の形態１の場合と同様であるから、ここでは詳しい説明は省略する。
【００５４】
［実施の形態６］
図１２は本発明の実施の形態６における電気炊飯器の要部を示す縦断面図である。
【００５５】
この実施の形態６において、一時制動手段Ｓｐは、オープンボタン１８の外カバー部材１４の内面側と対向する箇所にクッション部材２７が介在されて構成されている。なお、オープンボタン１８にクッション材２７を設ける代わりに、外カバー部材１４の内面側のオープンボタン１８と対向する箇所にクッション材２７を設けてもよい。
【００５６】
この実施の形態６の場合も、オープンボタン１８から指先を離したときには、オープンボタン１８がリターンバネ２０で元の位置まで復帰する際にクッション部材２７の弾力によってその動きが一時的に妨げられるので、これに伴う、ロックレバー１７の動きが一時的に制動されて極めて緩慢になる。その結果、フック部１７ｂが容器本体１の係止部１１ｂに係合する前に、蓋２がヒンジバネ４の力によって容器本体１から持ち上げられるため、再ロック現象の発生が防止される。
その他の構成、および作用、効果は、実施の形態１の場合と同様であるから、ここでは詳しい説明は省略する。
【００５７】
［実施の形態７］
この実施の形態７において、一時制動手段Ｓｐは、オープンボタン１８の支軸１９に設けられたボタン復帰用のリターンバネ２０の復帰力を制限するブレーキ機構からなる。このブレーキ機構は、具体的には、例えば支軸１９にシリコンゴム等のチューブ（図示せず）を挿入するなどして回動抵抗を増すことで実現することができる。
【００５８】
この実施の形態７の場合も、オープンボタン１８を押すときには指先の力が大きいのでブレーキ機構の抵抗は問題にならないが、オープンボタン１８から指先を離したときには、ブレーキ機構の抵抗によってオープンボタン１８がリターンバネ２０で元の位置にまで復帰するのが一時的に妨げられて、ロックレバー１７の摺動が緩慢になる。その結果、フック部１７ｂが容器本体１の係止部１１ｂに係合する前に、蓋２がヒンジバネ４の力によって容器本体１から持ち上げられるため、再ロック現象の発生が防止される。
その他の構成、および作用、効果は、実施の形態１の場合と同様であるから、ここでは詳しい説明は省略する。
【図面の簡単な説明】
【００５９】
【図１】本発明の実施の形態１における電気炊飯器の全体を一部切り欠いて示す縦断面図である。
【図２】図１の電気炊飯器において、蓋が容器本体にロックされた状態の要部を示す縦断面図である。
【図３】図１の電気炊飯器において、蓋が容器本体にロックされた状態の蓋の内部を示す平面図である。
【図４】図１の電気炊飯器において、オープンボタンが十分に押下されて蓋と容器本体とのロックが解除された状態の要部を示す縦断面図である。
【図５】図１の電気炊飯器において、オープンボタンが十分に押下されて蓋と容器本体とのロックが解除された状態の蓋の内部を示す平面図である。
【図６】本発明の実施の形態２における電気炊飯器における一時制動手段の構成を容器本体に対して蓋を開閉する場合の動作状態と共に示す説明図である。
【図７】本発明の実施の形態３における電気炊飯器の一時制動手段の構成を容器本体に対して蓋を開閉する場合の動作状態と共に示す説明図である。
【図８】この実施の形態４の電気炊飯器において蓋が容器本体にロックされた状態の要部を示す縦断面図で、同図（ａ）は一時制動手段の位置での構成を、同図（ｂ）は弾性部材を設けた位置での構成をそれぞれ示している。
【図９】図９は同炊飯器においてオープンボタンが十分に押下されて蓋と容器本体とのロックが解除された状態の要部を示す縦断面図である。
【図１０】同炊飯器において蓋が容器本体から開いた状態の縦断面図である。
【図１１】本発明の実施の形態５における電気炊飯器の一時制動手段の構成を、容器本体に対して蓋を開閉する場合の動作状態と共に示す説明図である。
【図１２】本発明の実施の形態６における電気炊飯器の要部を示す縦断面図である。
【符号の説明】
【００６０】
１    容器本体
２    蓋
３    ヒンジ
６    内鍋
１４    外カバー部材
１５    内カバー部材
１５ｂ  凸部
１７    ロックレバー
１７ａ  レバー本体部
１７ｂ  フック部
１７ｄ  屈曲バネ部（引掛り部）
１７ｅ  凹部（引掛り部）
１７ｆ  バネ片（引掛り部）
１７ｇ  嵌合穴（引掛り部）
１８    オープンボタン
１８ａ  引掛り片
１９    支軸
２５    レバーバネ
２６    弾性部材
２７    クッション部材
Ｓｐ    一時制動手段
【図１】
2008229150.tif 000003
【図２】
2008229150.tif 000004
【図３】
2008229150.tif 000005
【図４】
2008229150.tif 000006
【図５】
2008229150.tif 000007
【図６】
2008229150.tif 000008
【図７】
2008229150.tif 000009
【図８】
2008229150.tif 000010
【図９】
2008229150.tif 000011
【図１０】
2008229150.tif 000012
【図１１】
2008229150.tif 000013
【図１２】
2008229150.tif 000014